(57)【要約】【課題】センタースピーカをスクリーンの背面側に配置した場合でも最適な音場を設定することができる音響システムを提供すること。【解決手段】スクリーン１の背面側にセンタースピーカ４を配置したときに、スクリーン１により減衰されるセンタースピーカ４の高域成分の音声を、スクリーン１の前面側に配置した補正スピーカ５から補正音声として出力するようにしている。これにより、センタースピーカ４をスクリーン１の背面側に配置した場合でもユーザが視聴する視聴位置でセンタースピーカ４の適正な音声出力を得るようにした。【選択図】　　　　図１
2004056262.tif 000002
【特許請求の範囲】
【請求項１】
スクリーンの背面側に配置される主スピーカと、
上記スクリーンの前面側に配置され、上記主スピーカから上記スクリーンを透過して受音位置に到達する出力音声についての所要の帯域成分を補正する補正音声を出力する副スピーカと、
を備えていることを特徴とする音響システム。
【請求項２】
上記スクリーンの両側に左スピーカと右スピーカを配置したことを特徴とする請求項１に記載の音響システム。
【請求項３】
上記副スピーカは、放射した音声が上記スクリーンで反射して所定の受音位置に到達するように配置され、指向特性として鋭指向特性を有する鋭指向スピーカにより構成されていることを特徴とする請求項１に記載の音響システム。
【請求項４】
上記鋭指向スピーカは、ホーンスピーカにより構成されることを特徴とする請求項３に記載に音響システム。
【請求項５】
上記鋭指向スピーカは、アレイスピーカにより構成されることを特徴とする請求項３に記載に音響システム。
【請求項６】
上記主スピーカから上記スクリーンまでの距離と、上記副スピーカから上記スクリーンまでの距離との距離差に応じて、上記主スピーカに入力される音声信号を遅延させる遅延手段を設けたことを特徴とする請求項１に記載の音響システム。
【請求項７】
上記音声信号の所要の帯域成分を抽出する第１のフィルタ手段を有し、
上記第１のフィルタ手段により抽出した上記センター音声信号の帯域成分信号を、補正音声信号として上記副スピーカに入力するようにしたこと特徴とする請求項１に記載の音響システム。
【請求項８】
上記主スピーカをセンタースピーカとし、
さらに上記スクリーンの背面側に左右スピーカを配置したときは、
上記スクリーンの前面側に上記左右スピーカから出力される左右音声を補正する補正音声を出力する第２の副スピーカを設けるようにしたことを特徴とする請求項１に記載の音響システム。
【請求項９】
上記左右スピーカから上記スクリーンまでの距離と上記第２の副スピーカから上記スクリーンまでの距離との距離差に応じて、上記左右スピーカに対してそれぞれ入力される左右の音声信号を遅延させる第２の遅延手段を設けるようにしたことを特徴とする請求項８に記載の音響システム。
【請求項１０】
上記左右の音声信号の所要の帯域成分をそれぞれ抽出する第２のフィルタ手段を有し、
上記第２のフィルタ手段により抽出した上記左右の音声信号の帯域成分信号を、上記第２の副スピーカに入力するようにしたこと特徴とする請求項８に記載の音響システム。
【発明の詳細な説明】
【０００１】
【発明の属する技術分野】
本発明は、例えばスクリーンを利用して映像表示を行うプロジェクタに好適な音響システムに関するものである。
【０００２】
【従来の技術】
近年、スクリーンを利用して大画面の映像表示を行うプロジェクタが一般家庭などにおいても広く普及しつつある。
このようなプロジェクタにおいては、音響システムとして、例えば５．１チャンネルサラウンドシステムなどの複数のスピーカを用いたマルチチャンネルオーディオシステムが備えられている。
【０００３】
図８は、従来の音響システムにおけるフロンスピーカの配置例を示した図である。
この図８に示す音響システムには、フロントスピーカとして左スピーカ１０１、右スピーカ１０２、センタースピーカ１０３が設けられている。そしてこの場合には、スクリーン１００の正面左側に左スピーカ１０１が配置され、正面右側に右スピーカ１０２が配置されている。また、スクリーン１００のほぼ中央にセンタースピーカ１０３が配置されている。
【０００４】
【発明が解決しようとする課題】
ところで、上記のようにフロントスピーカを配置した場合は、センタースピーカ１０３をスクリーン１００の手前側、つまりスクリーン１００の前面側に配置した場合は、ユーザがスクリーン１００を視るときにセンタースピーカ１０３が邪魔になる。
このため、通常は、破線で示すように、センタースピーカ１０３をスクリーン１００の下側或いは上側に配置するようにしていた。
しかしながら、センタースピーカ１０３をスクリーン１００の下側或いは上側に配置すると、センタースピーカ１０３による音像定位位置がどうしても適正な配置位置から外れてしまうため、例えばユーザの視聴位置に合わせて最適な音場を設定することができない。
【０００５】
そこで、例えばセンタースピーカ１０３をスクリーン１００の背面側に配置して、スクリーン１００の正面側からセンタースピーカ１０３が見えないようにすることが考えられる。しかしこの場合は、スクリーン１００の透過音響特性により、センタースピーカ１０３から出力された音声の高域成分、例えば２ｋＨｚ以上の信号成分が減衰してしまい、結果的にはユーザの視聴位置に合わせた最適な音場設定を行うことができなかった。
【０００６】
また、このようなスクリーン１００による高域成分の減衰を防止するため、スクリーン１００に細かい穴を開けて、音響特性の改善を図るようにしたスクリーンも存在するが、画像反射率などの関係から、スクリーンに形成する穴の形状を大きくして音響特性の改善を図ることは困難であるため、高域成分の減衰を十分防止することができなかった。
【０００７】
そこで、本発明はこのような点を鑑みてなされたものであり、スクリーンに表示される映像の邪魔にならないように、センタースピーカをスクリーンの背面側に配置した場合でも適正な音場設定を行うことができる音響システムを提供することを目的とする。
【０００８】
【課題を解決するための手段】
上記目的を達成するため、本発明の音響システムは、スクリーンの背面側に配置される主スピーカと、スクリーンの前面側に配置され、主スピーカからスクリーンを透過して受音位置に到達する出力音声についての所要の帯域成分を補正する補正音声を出力する副スピーカとを備えている。
【０００９】
本発明によれば、スクリーンの背面側に主スピーカ（センタースピーカ）を配置したときに、スクリーンにより減衰される主スピーカの所要の帯域成分の音声を、スクリーンの前面側に配置した副スピーカ（補正スピーカ）から補正音声として出力することで、主スピーカをスクリーンの背面側に配置した場合でも所定の受音点において主スピーカの適正な音声出力が得られることになる。
【００１０】
【発明の実施の形態】
以下、本発明の実施の形態について説明する。
なお、本実施の形態においては、スクリーンを使用したプロジェクタなどのＡＶシステムに備えられている音響システムを例に挙げて説明する。
【００１１】
図１は、本実施の形態の音響システムにおけるフロントスピーカの配置例を示した図である。なお、この図１は、本実施の形態の音響システムを上面側から見た図である。
【００１２】
この図１に示すように、本実施の形態の音響システムは、プロジェクタ本体６から投写される映像を表示するためのスクリーン１と、左スピーカ２、右スピーカ３、主スピーカであるセンタースピーカ４、副スピーカである補正スピーカ５という４つのスピーカにより構成される。
【００１３】
左スピーカ２は、スクリーン１の左側面に配置されている。また、その放音面は受音位置Ｌのほうに向けられている。このような左スピーカ２からは左チャンネル（Ｌｃｈ）の音声が出力される。この場合、受音位置Ｌのユーザには左スピーカ２の直接音が到達することになる。
【００１４】
また、右スピーカ３は、スクリーン１の右側面に配置されている。この右スピーカ３の放音面も、上記同様、受音位置Ｌのほうに向けられている。このような右スピーカ３からは右チャンネル（Ｒｃｈ）の音声が出力される。この場合、受音位置Ｌのユーザには、右スピーカ３の直接音が到達することになる。
【００１５】
センタースピーカ４は、スクリーン１の背面側に配置されている。この場合のセンタースピーカ４の放音面も受音位置Ｌのほうに向けられている。そして、このようなセンタースピーカ４からは、センターチャンネル（Ｃｃｈ）の音声が出力されることになる。
【００１６】
この場合、センタースピーカ４は、スクリーン１の背面側に配置されていることから、センタースピーカ４から出力されるセンターチャンネルの音声（以下、「センター音声」という）は、スクリーン１を通過する際に、スクリーン１の音響特性に応じて例えば２ｋＨｚ以上の高域成分が減衰されることになる。従って、スクリーン１の前面からは、高域成分が減衰されたセンター音声が出力され、このセンター音声が受音位置Ｌユーザに到達することになる。
【００１７】
補正スピーカ５は、スクリーン１の前面側に配置されている。また、この補正スピーカ５は、特定方向（例えば、放音面と直交する軸方向）にのみ音波を放射するような鋭い指向性を有する構造とされる。
また補正スピーカ５の放音面は、補正スピーカ５から音声を放射したときに、スクリーン１で反射した反射音が、所定の受音位置Ｌに到達するようなスクリーン１の所要位置に向けられている。
そして補正スピーカ５からは、上記スクリーン１により減衰されたセンタースピーカ４からのセンター音声の高域成分を補正するための補正音声を出力するようにしている。
【００１８】
この場合、補正スピーカ５から出力される補正音声は、補正スピーカ５が鋭い指向特性を有し、また補正スピーカ５の放音面がスクリーン１に向けられていることから、スクリーン１で反射して受音位置Ｌに到達することになる。
従って、受音位置Ｌでは、補正スピーカ５からの補正音声によってセンタースピーカ４からのセンター音声の高域成分が補正され、受音位置Ｌにおいて適正なセンター音声を得ることができるようになる。
【００１９】
なお、補正スピーカ５から出力する補正音声の帯域は、スクリーン１により減衰されるセンター音声の高域成分に応じて所要の帯域を設定すれば良いが、補正スピーカ５から出力される補正音声は鋭指向特性を有する必要があるため、指向特性の観点からすれば、例えば５ｋＨｚ以上に設定することが好ましい。
【００２０】
また、本実施の形態の音響システムにおける左スピーカ２、右スピーカ３、センタースピーカ４の設置位置は、例えばユーザが自身の受音位置Ｌを基準にして音場設定を行うなどして決定されるものである。
また、補正スピーカ５の設置位置は、補正スピーカ５からの補正音声がスクリーン１で反射して所定の受音位置Ｌに到達するような位置であれば、例えばプロジェクタ本体６の近傍、或いは、本実施の形態の音響システムがセッティングされる室内の天井などに設置することが可能である。
【００２１】
また、例えばユーザの視聴位置がスクリーン１のほぼ中央に位置するように音場を設定した場合には、センタースピーカ４の配置位置はスクリーン１のほぼ中央位置となる。この場合は、センタースピーカ４の配置位置はプロジェクタ本体６とほぼ一致することになる。
この場合は、補正スピーカ５から出力される補正音声の行路と、プロジェクタ本体６から出力される映像の光軸もほぼ一致することになる。
従って、この場合には、補正スピーカ５をプロジェクタ本体６を一体化することができるため、この場合はユーザが補正スピーカ５を設置しなくて済むという利点がある。
【００２２】
図２は、センタースピーカと補正スピーカとの関係を示した図である。
この図２に示すように、センタースピーカ４から出力される音波Ｐ１は、スクリーン１を透過して受音位置Ｌのユーザのもとに到達することになる。
一方、補正スピーカ５から出力される音波Ｐ２は、スクリーン１で反射され、この反射された音波Ｐ２が受音位置Ｌのユーザのもとに到達することになる。
これにより、先においても説明したように、受音位置Ｌにおいては、センタースピーカ４からのセンター音声の高域成分が補正スピーカ５の補正音声により補正され、受音位置Ｌにおいては適正なセンター音声が得られることになる。
【００２３】
また、この場合、センタースピーカ４からスクリーン１までの距離と、補正スピーカ５からスクリーン１までの距離は異なるので、センタースピーカ４のセンター音声と、補正スピーカ５の補正音声を同じタイミングで出力すると、受音位置Ｌでは補正スピーカ５の補正音声が遅れて聴こえることになる。
そこで、本実施の形態では、後述するように、センタースピーカ４からスクリーン１までの距離と、補正スピーカ５からスクリーン１までの距離の距離差に応じて、センタースピーカ４から出力する音声を遅延させることで、受音位置Ｌにおいて、センタースピーカ４のセンター音声と補正スピーカ５の補正音声のタイミングを一致させるようにしている。
【００２４】
なお、この場合は、先においても説明したように、補正スピーカ５は、スクリーン１方向に対してのみ音波を放射するような鋭い指向性を有していることから、図２に示すように、例えば受音位置Ｌのユーザの後方に補正スピーカ５を配置したとしても、補正スピーカ５の直接音がユーザに到達することは殆ど無いものとされる。
【００２５】
図３は、上記図１に示した音響システムの内部構成を示したブロック図である。
この図３に示すように、入力される右チャンネル（Ｒｃｈ）の音声信号は、遅延回路１７を介してアンプ１１により増幅されて右スピーカ３に入力される。そして、この右スピーカ３により可聴音声として出力される。また、入力される左チャンネル（Ｌｃｈ）の音声信号は、遅延回路１８を介してアンプ１２により増幅されて左スピーカ２に入力される。そして、この左スピーカ２により可聴音声として出力される。
【００２６】
これに対して、センターチャンネル（Ｃｃｈ）の音声信号は、遅延回路１３により遅延された後、アンプ１４により増幅されてセンタースピーカ４に入力される。
遅延回路１３は、上述したようにセンタースピーカ４からスクリーン１までの距離と、補正スピーカ５からスクリーン１までの距離の距離差（行路差）に応じた時間だけ、センタースピーカ４に入力する音声信号を遅延させるようにしている。
【００２７】
また、センターチャンネル（Ｃｃｈ）の音声信号は、ハイパスフィルタ１５にも入力され、このハイパスフィルタ（ＨＰＦ）１５を通過した音声信号がアンプ１６により増幅されて補正スピーカ５に入力されている。
【００２８】
ＨＰＦ１５は、センターチャンネル（Ｃｃｈ）の音声信号から所定の高域成分を抽出して補正スピーカ５に入力するようにしている。この場合、ＨＰＦ１５においてセンターチャンネルの音声信号から抽出する信号帯域はスクリーン１の透過音響特性に応じて決定するようにされる。
【００２９】
なお、遅延回路１７，１８による遅延は、右チャンネル（Ｒｃｈ）、左チャンネル（Ｌｃｈ）、センターチャンネル（Ｃｃｈ）の各音声信号が受音位置Ｌでほぼ同時に到達するように調整されることが望ましいが、各スピーカと受音位置Ｌとの配置関係によってはこれらの遅延回路１７，１８を省略することもできる。また、図３に示した音響システムの内部構成はあくまでも一例であり、他の構成によって勿論実現することが可能である。
例えば図３に示した例では、センタースピーカ４から出力されるセンター音声を補正するための補正信号は、ＨＰＦ１５がセンターチャンネルの音声信号から抽出するようにしているが他の構成でも実現することができる。
【００３０】
例えばセンタースピーカ４の入力信号ラインにイコライザを設け、センタースピーカ４に入力される信号のうち、所定の周波数帯域の信号はイコライザにより補正を行うようにする。そして所定の周波数帯域以上の信号は補正スピーカ５で補正するようにしても良い。
【００３１】
具体的には、スクリーン１の透過音響特性により、例えば２ｋＨｚ以上の音声信号が６ｄｂ／オクターブの減衰カーブで減衰する場合には、センタースピーカ４に入力される信号のうち、例えば１０ｋＨｚ以下の信号はイコライザ等により補正を行う。そして、イコライザにより補正しきれない１０ｋＨｚ以上の信号については、補正スピーカ５で補正するといったことも可能である。
あるいは、補正スピーカ５の再生周波数帯域が高音域に限られている場合には、ＨＰＦ１５を削除することも可能である。
【００３２】
ここで、図４に、上記したような補正スピーカとして用いられる鋭指向スピーカの構造例を示しておく。
この図４（ａ）は、鋭指向性を有するホーンスピーカの構造例を示した図である。
この図４（ａ）に示すような鋭指向特性を有するホーンスピーカ２１を構成する場合は、例えば破線で示したような形状の広い指向特性を持つ通常のホーンスピーカよりフランジ２２部分の長さを短くする。またフランジ２２の広がりを小さくして開口面２３の開口面積を小さくする。これにより、小型で超指向性を有するホーンスピーカを構成することができる。
【００３３】
また、図４（ｂ）は、鋭指向スピーカの他の構造例として、複数個のスピーカユニットＳＰにより構成したアレイスピーカが示されている。
このようなアレイスピーカ３１は、各スピーカユニットＳＰ，ＳＰ・・・を適正なサイズにより形成したうえで、各スピーカユニットＳＰ，ＳＰに入力する音声信号の振幅および位相を或る関数にしたがって変化させることで任意の指向性を有するスピーカを構成することができる。
【００３４】
従って、本実施の形態では、補正スピーカ５を、上記したホーンスピーカ２１、またはアレイスピーカ３１により構成し、補正スピーカ５の指向特性を、図５に示すような特性にすれば良い。つまり、ユーザが位置する受音方向、例えば軸方向（０°）に対して左右方向（９０°，−９０°）にはほとんど出力音圧が得られず、軸方向（０°）に鋭い指向性を有する鋭指向スピーカとすればよいものである。
【００３５】
なお、補正スピーカ５は、指向性を有する超音波スピーカにより構成することも可能である。超音波スピーカの図示及び詳しい説明は省略するが、超音波スピーカは、いわゆるパラメトリック・スピーカとも呼ばれ、周波数が異なる２種類の超音波を放射することで、伝搬媒質である空気の非線形性によりこれら超音波が反射する反射面において可聴音声が出力されるように構成されたものである。
【００３６】
このような本実施の形態の音響システムによれば、スクリーン１の背面側にセンタースピーカ４を配置したときに、スクリーン１により減衰されるセンタースピーカ４の高域成分の音声をスクリーン１の前面側に配置した補正スピーカ５から補正音声として出力するようにしている。これにより、センタースピーカ４をスクリーン１の背面側に配置した場合でもユーザが視聴する視聴位置でセンタースピーカ４の適正な音声を出力することができる。
【００３７】
このように、本実施の形態の音響システムでは、スクリーン１の背面側にセンタースピーカ４を配置する。そのうえで、センタースピーカ４をスクリーン１の背面側に配置したことで、スクリーン１の透過音響特性により、スクリーン１において減衰されるセンター音声の高域成分を補正するための補正音声を出力する補正スピーカ５をスクリーン１の前面側に配置するようにした。
これにより、センタースピーカ４をスクリーン１の背面側に配置した場合でも、受音位置Ｌにおいては、センタースピーカ４のセンター音声を、補正スピーカ５の補正音声により補正することができるため、受音位置Ｌでは適正なセンター音声が得られることになる。
また、本実施の形態の音響システムによれば、センタースピーカを、スクリーンの下側又は上側以外にも配置することが可能になり、センタースピーカ４の設置位置の自由度を広げることができる。
また、この場合はスクリーン１の透過音響特性に応じて減衰するセンター音声を効果的に補正することができるため、優れた再生音を実現することができる。
【００３８】
図６は、他の実施の形態としての音響システムにおけるスピーカの配置例を示した図である。なお、この図６はスピーカの配置位置を上面側から見た図である。また、図６においては、上記した図１と同一部位には同一番号を付して重複説明は避ける。
【００３９】
この図６に示す音響システムにおいては、上記図１ではスクリーン１の両側に配置されていた左右のスピーカ２，３がスクリーン１の背面側に配置されている。
従って、この場合は、センタースピーカ４から出力されるセンター音声に加えて、左右のスピーカ２，３から出力される左右の音声も、スクリーン１を通過する際に、スクリーン１の透過音響特性に応じて高域成分が減衰されることになる。
【００４０】
このため、この図６に示す音響システムでは、スクリーン１の前面側に、上記したセンタースピーカ４のセンター音声の高域を補正する補正スピーカ５に加えて、左右のスピーカ２，３の左右音声の高域をそれぞれ補正する第２の副スピーカである補正スピーカ４１，４２を設けるようにしている。
この場合、これら補正スピーカ４１，４２は、補正スピーカ５と同様、特定方向（例えば、放音面と直交する軸方向）にのみ音波を放射するような鋭い指向性を有する構造とされる。そして、これら補正スピーカ４１，４２の放音面は、補正スピーカ４１，４２から放射され、スクリーン１で反射した反射音が受音位置Ｌに到達するようなスクリーン１位置に向けられている。
【００４１】
従って、このような補正スピーカ４１，４２から放射される補正音声は、補正スピーカ５が鋭い指向特性を有し、また補正スピーカ４１，４２の放音面は、スクリーン１に向けられていることから、このような補正スピーカ４１，４２から出力される補正音声は、スクリーン１で反射して受音位置Ｌのユーザに到達することになる。これにより、受音位置Ｌにおいては、補正スピーカ５，４１，４２の補正音声によってセンタースピーカ４、左右スピーカ２，３からの音声の高域成分が補正され、受音位置Ｌにおいて適正な音声を得ることができるようになる。
【００４２】
図７は、上記図６に示した音響システムの内部構成を示したブロック図である。なお、この場合も図３と同一部位には同一番号を付して重複説明を避ける。
この場合、右スピーカ３は、スクリーン１の背面側に配置されることから、入力される右チャンネル（Ｒｃｈ）の音声信号は、遅延回路４３により遅延されて、アンプ１１に入力される。
同様に、入力される左チャンネル（Ｃｃｈ）の音声信号は、遅延回路４４により遅延されてアンプ１２に入力される。
【００４３】
この場合、補正スピーカ４１には、入力される右チャンネル（Ｒｃｈ）の音声信号からＨＰＦ４５により高域成分を抽出した後、アンプ４６により増幅した音声信号を入力するようにしている。
同様に、補正スピーカ４２には、入力される左チャンネル（Ｌｃｈ）の音声信号からＨＰＦ４７により高域成分を抽出した後、アンプ４８により増幅した音声信号を入力するようにしている。
【００４４】
このように音響システムを構成した場合も、受音位置Ｌにおいて適正な音声を得ることができるようになる。
このような音響システムは、例えばスクリーン１の側面に左右スピーカ２，３を配置することができないような大型スクリーンを使用したプロジェクタに適用すれば、左右スピーカ２，３の配置位置の自由度が増すと言う利点がある。
また、この場合も、スクリーン１の透過音響特性に応じて減衰される左右、及びセンターの音声を効果的に補正することができるため、優れた再生音を実現することができる。
【００４５】
なお、本実施の形態では、スクリーンを使用したプロジェクタなどのＡＶシステムに備えられている音響システムを例に挙げて説明したが、これはあくまでも一例であり、本発明の音響システムはスクリーンを利用した装置であれば、何れの装置にも適用可能である。
また、本実施の形態では、フロントスピーカとして、左右のスピーカ、センタースピーカが設けられている場合を例に挙げて説明したが、本発明の音響システムは、少なくともフロントスピーカとしてセンタースピーカを備えていれば実現することができる。
【００４６】
【発明の効果】
以上説明したように、本発明の音響システムによれば、スクリーンの背面側に主スピーカであるセンタースピーカを配置したときに、スクリーンにより減衰されるセンタースピーカの高域成分の音声を、スクリーンの前面側に配置した副スピーカである補正スピーカから補正音声として出力するようにしているため、センタースピーカをスクリーンの背面側に配置した場合でもユーザが視聴する視聴位置でセンタースピーカの適正な音声出力を得ることができる。
このようにすれば、センタースピーカをスクリーンの背面側に設置したとしても、適正なセンター音声を得ることが可能になるので、センタースピーカの設置位置の自由度を広げることが可能になる。これにより、適正な音場設定を行うことができる音響システムを提供することが可能になる。
例えば本発明をプロジェクタ等のスクリーンを利用したＡＶシステムに適用すれば、音響特性を効果的に補うことができるので再生画像などに対応した優れた再生音を出力することが可能になる。
【図面の簡単な説明】
【図１】本発明の実施の形態としての音響システムにおけるスピーカの配置例を示した図である。
【図２】センタースピーカと補正スピーカから放射される音波経路を示した図である。
【図３】図１に示した音響システムの内部構成を示したブロック図である。
【図４】鋭指向スピーカの構造例を示した図である。
【図５】鋭指向スピーカのポーラパターンを示した図である。
【図６】他の実施の形態の音響システムにおけるスピーカの配置例を示した図である。
【図７】図６に示した音響システムの内部構成を示したブロック図である。
【図８】従来の音響システムにおけるスピーカの配置例を示した図である。
【符号の説明】
１　スクリーン、２　左スピーカ、３　右スピーカ、４　センタースピーカ、５　４１　４２　補正スピーカ、７　プロジェクタ本体、１１　１２　１４　１６　４６　４８　アンプ、１３　４３　４４　遅延回路、１５　４５　４７　ＨＰＦ、２１　ホーンスピーカ、３１　アレイスピーカ
【図１】
2004056262.tif 000003
【図２】
2004056262.tif 000004
【図３】
2004056262.tif 000005
【図４】
2004056262.tif 000006
【図５】
2004056262.tif 000007
【図６】
2004056262.tif 000008
【図７】
2004056262.tif 000009
【図８】
2004056262.tif 000010